(57)【要約】【課題】リフォームによって既存の引戸枠を優れた外観の引戸枠にすることができるリフォーム用化粧材を提供することを目的とする。【解決手段】引戸枠の第１縦枠１３０を覆う第１縦枠用カバー材４が、一方の見付面１３４から見込面１３２の幅方向の途中までを覆う断面Ｌ字状で長尺の第１カバー部１０と、他方の見付面１３６から見込面１３２の幅方向の途中までを覆う断面Ｌ字状で長尺の第２カバー部１２と、見込面１３２上の第１カバー部１０と第２カバー部１２との突き合わせ部分１１を覆う平板状で長尺の第３カバー部１４と、散り部分１３８，１３９に取り付けられる散りカバー部１６，１８と、を備え、散りカバー部１６が第１カバー部１０の側端部が嵌め込まれる嵌合部１７を有し、散りカバー部１８が第２カバー部１２の側端部が嵌め込まれる嵌合部１９を有する、リフォーム用化粧材１。【選択図】図３
2018091085.tif 000002
【特許請求の範囲】
【請求項１】
敷居、鴨居、及び一対の縦枠を備え、引戸が取り付けられる引戸枠に被せるリフォーム用化粧材であって、
前記縦枠を覆う縦枠用カバー材を備え、
前記縦枠用カバー材が、前記縦枠の一方の見付面から見込面の幅方向の途中までを覆う断面Ｌ字状で長尺の第１カバー部と、前記縦枠の他方の見付面から前記見込面の幅方向の途中までを覆う断面Ｌ字状で長尺の第２カバー部と、前記見込面上の前記第１カバー部と前記第２カバー部との突き合わせ部分を覆う平板状で長尺の第３カバー部と、を備える、リフォーム用化粧材。
【請求項２】
前記突き合わせ部分が、前記縦枠の見込面における、前記引戸枠に取り付けられた前記引戸が閉められた際に前記引戸が接していない部分に形成されている、請求項１に記載のリフォーム用化粧材。
【請求項３】
前記突き合わせ部分が、前記縦枠の見込面における、前記引戸枠に取り付けられた前記引戸が閉められた際に前記引戸が接する部分に形成されている、請求項１に記載のリフォーム用化粧材。
【請求項４】
前記突き合わせ部分と前記第３カバー部の幅方向の位置が、前記敷居と前記鴨居における溝部の幅方向の位置と略一致している、請求項１〜３のいずれか一項に記載のリフォーム用化粧材。
【請求項５】
前記第３カバー部の幅が、前記敷居と前記鴨居における溝部の幅と同等である、請求項１〜４のいずれか一項に記載のリフォーム用化粧材。
【請求項６】
さらに、前記敷居を覆う敷居用カバー材と、前記鴨居を覆う鴨居用カバー材とを備える、請求項１〜５のいずれか一項に記載のリフォーム用化粧材。
【請求項７】
敷居、鴨居、及び一対の縦枠を備え、引戸が取り付けられる引戸枠に被せるリフォーム用化粧材であって、
前記縦枠を覆う縦枠用カバー材を備え、
前記縦枠用カバー材が、前記縦枠の散り部分に配置される長尺の散りカバー部を備え、
前記散りカバー部が、前記縦枠の見付面を覆う長尺のカバー部の幅方向の側端部が嵌め込まれる凹条の嵌合部を有する、リフォーム用化粧材。
【請求項８】
敷居、鴨居、及び一対の縦枠を備え、引戸が取り付けられる引戸枠に被せるリフォーム用化粧材であって、
前記鴨居を覆う鴨居用カバー材を備え、
前記鴨居用カバー材が、前記鴨居の散り部分に配置される長尺の散りカバー部を備え、
前記散りカバー部が、前記鴨居の見付面を覆う長尺のカバー部の幅方向の側端部が嵌め込まれる凹条の嵌合部を有する、リフォーム用化粧材。
【請求項９】
前記散りカバー部において、前記嵌合部が散り側に突き出るように設けられ、長さ方向に延びる段差が形成されている、請求項７又は８に記載のリフォーム用化粧材。
【発明の詳細な説明】
【技術分野】
【０００１】
本発明は、リフォーム用化粧材に関する。
【背景技術】
【０００２】
住宅等の建築物における、引戸が取り付けられる引戸枠には、通常、使用中に傷が付いたり、汚れが付着したりする。リフォームの際には、例えば、既存の引戸枠が取り除かれ、その後に新規な引戸枠が取り付けられる。しかし、引戸枠を取り換える作業には専門的な技術が必要であり、時間を要するうえ、コストも高くなる。
【０００３】
ところで、既存のドア枠上に化粧材であるカバー材を貼り付けることでリフォームする方法が提案されている（特許文献１、２）。例えば、ドア枠における縦枠の見付面や見込面に、断面Ｌ字状等の長尺のカバー材が２つ以上組み合わされて取り付けられる。一般にカバー材の側端部に通りが出にくく、見付面や見込面においてカバー材の側端部同士の突き合わせ部分には溝（隙間）が形成されるため、該溝がシーリング材等で埋められる。また、見付面や見込面において、溝が生じないようにカバー材同士が重ねられて貼り合わされることもある。
【先行技術文献】
【特許文献】
【０００４】
【特許文献１】特開２００４−１０７８７７号公報
【特許文献２】特開２０１５−１０４０４号公報
【発明の概要】
【発明が解決しようとする課題】
【０００５】
しかし、前記のようなリフォーム方法では、シーリング材で埋めただけの溝や、見付面や見込面の幅方向の中央部に形成される段差が目立ち、外観があまり良くない。
【０００６】
本発明は、リフォームによって既存の引戸枠を優れた外観の引戸枠にすることができるリフォーム用化粧材を提供することを目的とする。
【課題を解決するための手段】
【０００７】
本発明は、以下の構成を有する。
［１］敷居、鴨居、及び一対の縦枠を備え、引戸が取り付けられる引戸枠に被せるリフォーム用化粧材であって、
前記縦枠を覆う縦枠用カバー材を備え、
前記縦枠用カバー材が、前記縦枠の一方の見付面から見込面の幅方向の途中までを覆う断面Ｌ字状で長尺の第１カバー部と、前記縦枠の他方の見付面から前記見込面の幅方向の途中までを覆う断面Ｌ字状で長尺の第２カバー部と、前記見込面上の前記第１カバー部と前記第２カバー部との突き合わせ部分を覆う平板状で長尺の第３カバー部と、を備える、リフォーム用化粧材。
［２］前記突き合わせ部分が、前記縦枠の見込面における、前記引戸枠に取り付けられた前記引戸が閉められた際に前記引戸が接していない部分に形成されている、［１］に記載のリフォーム用化粧材。
［３］前記突き合わせ部分が、前記縦枠の見込面における、前記引戸枠に取り付けられた前記引戸が閉められた際に前記引戸が接する部分に形成されている、［１］に記載のリフォーム用化粧材。
［４］前記突き合わせ部分と前記第３カバー部の幅方向の位置が、前記敷居と前記鴨居における溝部の幅方向の位置と略一致している、［１］〜［３］のいずれかに記載のリフォーム用化粧材。
［５］前記第３カバー部の幅が、前記敷居と前記鴨居における溝部の幅と同等である、［１］〜［４］のいずれかに記載のリフォーム用化粧材。
［６］さらに、前記敷居を覆う敷居用カバー材と、前記鴨居を覆う鴨居用カバー材とを備える、［１］〜［５］のいずれかに記載のリフォーム用化粧材。
［７］敷居、鴨居、及び一対の縦枠を備え、引戸が取り付けられる引戸枠に被せるリフォーム用化粧材であって、
前記縦枠を覆う縦枠用カバー材を備え、
前記縦枠用カバー材が、前記縦枠の散り部分に配置される長尺の散りカバー部を備え、
前記散りカバー部が、前記縦枠の見付面を覆う長尺のカバー部の幅方向の側端部が嵌め込まれる凹条の嵌合部を有する、リフォーム用化粧材。
［８］敷居、鴨居、及び一対の縦枠を備え、引戸が取り付けられる引戸枠に被せるリフォーム用化粧材であって、
前記鴨居を覆う鴨居用カバー材を備え、
前記鴨居用カバー材が、前記鴨居の散り部分に配置される長尺の散りカバー部を備え、
前記散りカバー部が、前記鴨居の見付面を覆う長尺のカバー部の幅方向の側端部が嵌め込まれる凹条の嵌合部を有する、リフォーム用化粧材。
［９］前記散りカバー部において、前記嵌合部が散り側に突き出るように設けられ、長さ方向に延びる段差が形成されている、［７］又は［８］に記載のリフォーム用化粧材。
【発明の効果】
【０００８】
本発明のリフォーム用化粧材を用いれば、リフォームによって既存の引戸枠を優れた外観の引戸枠にすることができる。
【図面の簡単な説明】
【０００９】
【図１】本発明のリフォーム用化粧材を引戸構造に適用した様子を示した斜視図である。
【図２】図１の引戸構造のＡ−Ａ断面図である。
【図３】図２の縦枠部分を拡大した断面図である。
【図４】図１の引戸構造のＢ−Ｂ断面図である。
【図５】図１の引戸構造のＣ−Ｃ断面図である。
【図６】本発明のリフォーム用化粧材の縦枠用カバー部における第１カバー部及び第２カバー部を形成するための前駆カバー材であって、図６（Ａ）は斜視図であり、図６（Ｂ）は図６（Ａ）のＤ−Ｄ断面図である。
【図７】本発明のリフォーム用化粧材の縦枠用カバー部における第３カバー部であって、図７（Ａ）は斜視図であり、図７（Ｂ）は図７（Ａ）のＥ−Ｅ断面図である。
【図８】本発明のリフォーム用化粧材における散りカバー部であって、図８（Ａ）は斜視図であり、図８（Ｂ）は図８（Ａ）のＦ−Ｆ断面図である。
【図９】本発明のリフォーム用化粧材を適用した引戸構造における縦枠部分を拡大した断面図である。
【発明を実施するための形態】
【００１０】
本発明のリフォーム用化粧材は、敷居、鴨居、及び一対の縦枠を備え、引戸が取り付けられる引戸枠に被せるリフォーム用化粧材である。本発明のリフォーム用化粧材は、鴨居を覆う鴨居用カバー材又は縦枠を覆う縦枠用カバー材を備える。本発明のリフォーム用化粧材は、敷居を覆う敷居用カバー材をさらに備えてもよい。本発明のリフォーム用化粧材は、敷居用カバー材、鴨居用カバー材及び縦枠用カバー材を備えることが好ましい。本発明においては、引戸の数は特に限定されず、１枚、２枚又は３枚等、適宜設定できる。
【００１１】
本発明の第１実施形態のリフォーム用化粧材においては、縦枠用カバー材は、縦枠の一方の見付面から見込面の幅方向の途中までを覆う断面Ｌ字状で長尺の第１カバー部と、縦枠の他方の見付面から見込面の幅方向の途中までを覆う断面Ｌ字状で長尺の第２カバー部と、見込面上で第１カバー部と第２カバー部とが突き合わされた部分を覆う平板状で長尺の第３カバー部と、を備える。縦枠の見込面上において第１カバー部と第２カバー部とが突き合わされた部分を第３カバー部で覆うことで、外観に優れた引戸枠とすることができる。
【００１２】
また、本発明の第２実施形態のリフォーム用化粧材においては、縦枠居用カバー材が、縦枠の散り部分に配置される長尺の散りカバー部を備える。該散りカバー部は、縦枠の見付面を覆う長尺のカバー部の幅方向の側端部が嵌め込まれる凹条の嵌合部を有する。散りカバー部を用いれば、縦枠の見付面の幅方向の中央部に段差が生じることを抑制できるため、外観に優れた引戸枠とすることができる。
【００１３】
また、本発明の第３実施形態のリフォーム用化粧材においては、鴨居用カバー材が、鴨居の散り部分に配置される長尺の散りカバー部を備える。該散りカバー部は、鴨居の見付面を覆う長尺のカバー部の幅方向の側端部が嵌め込まれる凹条の嵌合部を有する。散りカバー部を用いれば、鴨居の見付面の幅方向の中央部に段差が生じることを抑制できるため、外観に優れた引戸枠とすることができる。
【００１４】
以下、本発明のリフォーム用化粧材の一例として、引戸枠１００に取り付けられるリフォーム用化粧材１について、図１〜５に基づいて説明する。
引戸枠１００は、敷居１１０と、鴨居１２０と、敷居１１０及び鴨居１２０の長さ方向の両側に設けられた一対の第１縦枠１３０及び第２縦枠１４０を備えている。引戸枠１００には、一対の引戸１５０，１６０が取り付けられるようになっている。
【００１５】
敷居１１０の上面には、第１溝部１１１と第２溝部１１２が長さ方向に沿って並行して形成されている。鴨居１２０の下面には、第１溝部１１１と第２溝部１１２に対応する位置に、第１溝部１２１と第２溝部１２２が長さ方向に沿って並行して形成されている。敷居１１０の第１溝部１１１と鴨居１２０の第１溝部１２１に引戸１５０が嵌め込まれて取り付けられている。また、敷居１１０の第２溝部１１２と鴨居１２０の第２溝部１２２に引戸１６０が嵌め込まれて取り付けられている。
引戸１５０，１６０によって引戸枠１００を閉めた状態では、図２に示すように、引戸１５０が第１縦枠１３０に接し、引戸１６０が第２縦枠１４０に接している。
【００１６】
図２及び図３に示すように、第１縦枠１３０における引戸１５０，１６０が取り付けられる側と反対側には柱状の下地材１７０が設けられており、下地材１７０における第１縦枠１３０の見付面１３４側と見付面１３６側にそれぞれボート状の壁材１７２，１７４が設けられている。第１縦枠１３０は見付面１３４が壁材１７２の表面よりも突き出るように設けられている。このように、第１縦枠１３０の見付面１３４と壁材１７２の表面には段差があり、散りが形成されている。また、第１縦枠１３０は見付面１３６が壁材１７４の表面よりも突き出るように設けられている。このように、第１縦枠１３０の見付面１３６と壁材１７４の表面にも段差があり、散りが形成されている。
【００１７】
同様に、第２縦枠１４０における引戸１５０，１６０が取り付けられる側と反対側には柱状の下地材１７６が設けられており、下地材１７６における第２縦枠１４０の見付面１４４側と見付面１４６側にそれぞれボート状の壁材１７８，１８０が設けられている。第２縦枠１４０は、見付面１４４が壁材１７８の表面よりも突き出るように、かつ見付面１４６が壁材１８０の表面よりも突き出るように設けられている。このように、第２縦枠１４０の見付面１４４と壁材１７８の表面との間、第２縦枠１４０の見付面１４６と壁材１８０の表面との間には段差があり、散りが形成されている。
【００１８】
図５に示すように、鴨居１２０の上側には柱状の下地材１８２が設けられており、下地材１８２における鴨居１２０の見付面１２４側と見付面１２５側にそれぞれボート状の壁材１８４，１８６が設けられている。鴨居１２０は見付面１２４が壁材１８４の表面よりも突き出るように、かつ見付面１２５が壁材１８６の表面よりも突き出るように設けられている。このように、鴨居１２０の見付面１２４と壁材１８４の表面との間、鴨居１２０の見付面１２５と壁材１８６の表面との間には段差があり、散りが形成されている。
【００１９】
本実施形態のリフォーム用化粧材１は、図１〜５に示すように、敷居１１０に被せられる敷居用カバー材２と、鴨居１２０に被せられる鴨居用カバー材３と、第１縦枠１３０及び第２縦枠１４０にそれぞれ被せられる第１縦枠用カバー材４及び第２縦枠用カバー材５と、を備えている。引戸枠１００にリフォーム用化粧材１を取り付けることで、引戸枠１００に付いた傷や汚れを隠して見栄えを良くすることができる。
【００２０】
第１縦枠用カバー材４は、第１縦枠１３０に取り付けられるカバー材であって、第１カバー部１０と、第２カバー部１２と、第３カバー部１４と、散りカバー部１６，１８と、を備えている。
第１カバー部１０は、帯状の第１平面部１０ａと、第１平面部１０ａの幅方向の一方から垂直に立ち上がり、第１平面部１０ａの長さ方向に延在する第２平面部１０ｂとからなる帯状のカバー材である。第１カバー部１０の長さ方向に垂直な方向に切断した断面形状は、Ｌ字状になっている。
第２カバー部１２は、帯状の第１平面部１２ａと、第１平面部１２ａの幅方向の一方から垂直に立ち上がり、第１平面部１２ａの長さ方向に延在する第２平面部１２ｂとからなる帯状のカバー材である。第２カバー部１２の長さ方向に垂直な方向に切断した断面形状は、Ｌ字状になっている。
【００２１】
第１カバー部１０は、第１平面部１０ａが第１縦枠１３０の見付面１３４を覆い、第２平面部１０ｂが第１縦枠１３０の見込面１３２の幅方向における見付面１３４側の端から途中までを覆い、第１縦枠１３０の長さ方向に延在するように第１縦枠１３０に取り付けられている。第２カバー部１２は、第１平面部１２ａが第１縦枠１３０の見付面１３６を覆い、第２平面部１２ｂが第１縦枠１３０の見込面１３２の幅方向における見付面１３６側の端から途中までを覆い、第１縦枠１３０の長さ方向に延在するように取り付けられている。
【００２２】
第１縦枠１３０に第１カバー部１０及び第２カバー部１２を取り付ける態様は、特に限定されず、例えば、接着剤で第１縦枠１３０に第１カバー部１０及び第２カバー部１２を接着する態様が挙げられる。
接着剤としては、例えば、変性シリコーン樹脂系接着剤、シリコーン系接着剤等が挙げられる。
【００２３】
この例の第１縦枠１３０の見込面１３２においては、第１カバー部１０の第２平面部１０ｂにおける第１平面部１０ａと反対側の側端部と、第２カバー部１２の第２平面部１２ｂにおける第１平面部１２ａと反対側の側端部との突き合わせ部分１１に、第１縦枠１３０の長さ方向に沿って延びる溝が形成されている。なお、第１カバー部１０の側端部と第２カバー部の側端部とが突き合わせ部分１１には溝が形成されていなくてもよい。すなわち、第１カバー部１０の側端部と第２カバー部の側端部とが互いに接するように突き合わされていてもよい。
【００２４】
第１縦枠１３０の見込面１３２に第１カバー部１０と第２カバー部１２で形成された突き合わせ部分１１上には、第３カバー部１４が設けられることで、突き合わせ部分１１が目隠しされている。突き合わせ部分１１上に第３カバー部１４を取り付ける態様は、特に限定されず、例えば、接着剤で第１カバー部１０の側端部と第２カバー部１２の側端部に第３カバー部１４を接着する態様が挙げられる。
【００２５】
第１カバー部１０及び第２カバー部１２は、例えば、図６（Ａ）及び図６（Ｂ）に例示した、第１平面部５０ａと第２平面部５０ｂとからなる断面Ｌ字状の長尺の前駆カバー材５０を、第１縦枠１３０の寸法に合わせて切断することで得られる。前駆カバー材５０における第１平面部５０ａの幅は、第１縦枠１３０の見付面１３４及び見付面１３６の幅よりも広くなっている。また、前駆カバー材５０における第２平面部５０ｂの幅は、例えば、第１縦枠１３０の見込面１３２の幅と同等になっている。
【００２６】
第１平面部５０ａには、長さ方向に延びる凹条からなる複数の平行な筋５２ａが形成されている。これにより、第１平面部５０ａは長さ方向に沿って容易に切断できるようになっている。同様に、第２平面部５０ｂには、長さ方向に延びる凹条からなる複数の平行な筋５２ｂが形成されている。これにより、第２平面部５０ｂも長さ方向に沿って容易に切断できるようになっている。
【００２７】
前駆カバー材５０の第１平面部５０ａをいずれかの筋５２ａに沿って切断してその幅を第１縦枠１３０の見付面１３４の幅に合わせ、また第２平面部５０ｂをいずれかの筋５２ｂに沿って切断してその幅を調節することで、第１カバー部１０とすることができる。また、前駆カバー材５０の第１平面部５０ａを切断してその幅を第１縦枠１３０の見付面１３６に合わせ、第２平面部５０ｂを切断してその幅を調節することで、第２カバー部１２とすることができる。
第１縦枠１３０の見込面１３２の幅方向における突き合わせ部分１１の位置、及び突き合わせ部分１１の幅は、第１カバー部１０の第２平面部１０ｂの幅と第２カバー部１２の第２平面部１２ｂの幅を調節することで調節できる。
【００２８】
本発明では、第１カバー部と第２カバー部の突き合わせ部分が、縦枠の見込面における、引戸枠に取り付けられた引戸が閉められた際に引戸が接していない部分に形成されていることが好ましい。これにより、突き合わせ部分を覆うように取り付けた第３カバー部が引戸を閉める際に邪魔にならず、閉めた引戸と引戸枠の間に隙間を生じさせずに、しっかりと閉めることができる。
また、本発明では、突き合わせ部分と第３カバー部の幅方向の位置は、敷居と鴨居の溝部の幅方向の位置と略一致していることが好ましい。これにより、敷居と鴨居の溝部と縦枠の第３カバー部とが連続するため見栄えが向上する。
【００２９】
この例では、第１縦枠１３０の見込面１３２の幅方向における突き合わせ部分１１及び第３カバー部１４の位置は、引戸枠１００が引戸１５０，１６０で閉められた際に引戸１６０が接しない、敷居１１０の第２溝部１１２と鴨居１２０の第２溝部１２２の位置と一致している。これにより、突き合わせ部分１１上に設けられた第３カバー部１４の位置と、敷居１１０の第２溝部１１２と鴨居１２０の第２溝部１２２の位置とが一致する。そのため、引戸枠１００の内側において周回りに、敷居１１０の第２溝部１１２と、第３カバー部１４と、鴨居１２０の第２溝部１２２とが連続するため、見栄えが良く、外観に優れる。
また、突き合わせ部分１１が第１縦枠１３０の見込面１３２における引戸１５０が接しない部分に形成されているため、引戸１５０を閉める際に第３カバー部１４が邪魔にならず、引戸１５０を第１縦枠１３０に接触させてしっかりと閉めることができる。
【００３０】
突き合わせ部分１１の幅は、０〜１５ｍｍが好ましく、０．５〜５ｍｍがより好ましい。突き合わせ部分１１の幅が上限値以下であれば、第３カバー部１４を確実に固定（固着）することが容易になる。
【００３１】
第３カバー部１４の幅は、見栄えが良く、外観が向上する点から、敷居１１０の第２溝部１１２と鴨居１２０の第２溝部１２２の幅と同等であることが好ましい。また、第３カバー部１４の下端部が敷居１１０の第２溝部１１２に嵌り込み、第３カバー部１４の上端部が鴨居１２０の第２溝部１２２に嵌り込んでいることがさらに好ましい。
【００３２】
第３カバー部１４は、例えば、図７（Ａ）及び図７（Ｂ）すように、平板状で長尺な部材である。なお、例えば幅の広い平板状の長尺な前駆カバー材を適宜長さ方向に切断して幅を適した寸法に調節することで第３カバー部１４を得てもよい。
この例では、第３カバー部１４における第１縦枠１３０の見込面１３２側に向けられる面には、長さ方向に延びる凹条からなる複数の平行な筋１４ａが形成されている。これにより、接着剤で第３カバー部１４を取り付ける際に接着力がより高くなる。なお、第３カバー部１４にはこのような筋が形成されていなくてもよい。
【００３３】
第１縦枠１３０における見付面１３４側の壁材１７２との散り部分１３８には散りカバー部１６が取り付けられている。
散りカバー部１６は、図８（Ａ）及び図８（Ｂ）に示すように、第１板部１６ａ、第２板部１６ｂ、第３板部１６ｃ及び第４板部１６ｄを備えている。第１板部１６ａは、第１縦枠１３０の散り部分１３８に沿って配置される帯状の部分である。第２板部１６ｂは、第１板部１６ａの幅方向の端部から突出し、第１板部１６ａの長さ方向に延在している。第３板部１６ｃは、第２板部１６ｂの先端部から第１板部１６ａと反対側に突出し、第２板部１６ｂの長さ方向に延在している。第４板部１６ｄは、第３板部１６ｃの先端部から第１板部１６ａ側に突出し、第３板部１６ｃの長さ方向に延在している。
【００３４】
散りカバー部１６においては、第２板部１６ｂ、第３板部１６ｃ及び第４板部１６ｄの断面形状がＵ字状になっており、それらで凹条の嵌合部１７を形成している。第１縦枠１３０の見付面１３４側における壁材１７２との散り部分１３８に散りカバー部１６が取り付けられた状態では、第１カバー部１０の第１平面部１０ａの側端部が散りカバー部１６の嵌合部１７に嵌め込まれる。これにより、第１カバー部１０を第１縦枠１３０にしっかりと固定することができる。
【００３５】
散りカバー部１６においては、第１板部１６ａから嵌合部１７が散り側（外側）に突き出るように形成され、長さ方向に延びる段差が形成されているため、第１縦枠１３０に手を掛ける際に指を引っ掛けやすい。また、散りカバー部１６の嵌合部１７における段差は、第１縦枠１３０の見付面１３４における散り部分１３８側の縁に沿うように配置されるため、第１縦枠１３０の見付面１３４上で２つのカバー材が重ねられて幅方向の中央部に段差が形成される場合に比べて見栄えがよく、外観に優れる。
【００３６】
この例の散りカバー部１６の嵌合部１７では、第４板部１６ｄの第２板部１６ｂ側の面が先端に向かうにつれて第２板部１６ｂに近づくようにわずかに傾斜している。これにより、嵌合部１７から第１カバー部１０の第１平面部１０ａの側端部が予期せず抜けにくくなる。
【００３７】
第１縦枠１３０における見付面１３６側の壁材１７４との散り部分１３９には散りカバー部１８が取り付けられている。
散りカバー部１８の態様は、散りカバー部１６の態様と同様であり、第１板部１８ａ、第２板部１８ｂ、第３板部１８ｃ及び第４板部１８ｄを備え、第２板部１６ｂ、第３板部１６ｃ及び第４板部１６ｄで凹条の嵌合部１９が形成されている。第１縦枠１３０の見付面１３６側における壁材１７４との散り部分１３９に散りカバー部１８が取り付けられた状態では、第２カバー部１２の第１平面部１２ａの側端部が散りカバー部１８の嵌合部１９に嵌め込まれる。これにより、第２カバー部１２を第１縦枠１３０にしっかりと固定することができる。
【００３８】
散りカバー部１８においても、第１板部１８ａから嵌合部１９が散り側（外側）に突き出るように形成され、長さ方向に延びる段差が形成されているため、第１縦枠１３０に手を掛ける際に指を引っ掛けやすい。また、散りカバー部１８の嵌合部１９における段差は、第１縦枠１３０の見付面１３６における散り部分１３９側の縁に沿うように配置されるため、第１縦枠１３０の見付面１３６上で２つのカバー材が重ねられて幅方向の中央部に段差が形成される場合に比べて見栄えがよく、外観に優れる。
【００３９】
第２縦枠用カバー材５は、第２縦枠１４０に取り付けられるカバー材であって、第１カバー部２０と、第２カバー部２２と、第３カバー部２４と、散りカバー部２６，２８と、を備えている。
第１カバー部２０の態様は、第１カバー部１０の態様と同じであり、帯状の第１平面部２０ａと第２平面部２０ｂとからなり、断面形状がＬ字状で帯状になっている。第２カバー部２２の態様は、第２カバー部１２の態様と同じであり、帯状の第１平面部２２ａと第２平面部２２ｂとからなり、断面形状がＬ字状で帯状になっている。
【００４０】
第２縦枠１４０に第２縦枠用カバー材５が取り付けられる態様は、第１縦枠１３０に第１縦枠用カバー材４が取り付けられる態様と同様である。具体的には、第２縦枠１４０の見込面１４２が第１カバー部２０の第２平面部２０ｂと第２カバー部２２の第２平面部２２ｂで覆われ、見付面１４４が第１カバー部２０の第１平面部２０ａで覆われ、見付面１４６が第２カバー部２２の第１平面部２２ａで覆われている。第２縦枠１４０の見込面１４２においては、第１カバー部２０の第２平面部２０ｂと第２カバー部２２の第２平面部２２ｂとが突き合わせ部分２１上に第３カバー部２４が取り付けられている。また、この例では、第１カバー部２０の側端部と第２カバー部２２の側端部とが突き合わせ部分２１に長さ方向に延びる溝が形成されている。なお、第１カバー部２０の側端部と第２カバー部２２の側端部とが突き合わせ部分２１には溝が形成されていなくてもよい。すなわち、第１カバー部２０の側端部と第２カバー部２２の側端部とが互いに接するように突き合わされていてもよい。
【００４１】
第２縦枠１４０に第１カバー部２０及び第２カバー部２２を取り付ける態様、突き合わせ部分２１上に第３カバー部２４を取り付ける態様は、特に限定されず、例えば、接着剤を用いる態様が挙げられる。
第２縦枠用カバー材５における第１カバー部２０及び第２カバー部２２は、例えば、第１カバー部１０及び第２カバー部１２と同様に、第２縦枠１４０の寸法に合わせて前駆カバー材５０を切断することで得られる。また、第３カバー部２４は、例えば、第３カバー部１４と同様に、前駆カバー材６０を適宜切断し、その幅が敷居１１０の第１溝部１１１と鴨居１２０の第１溝部１２１の幅と同等になるように調節することで得られる。
【００４２】
この例では、第２縦枠１４０の見込面１４２の幅方向における突き合わせ部分２１及び第３カバー部２４の位置は、引戸枠１００が引戸１５０，１６０で閉められた際に引戸１５０が接しない、敷居１１０の第１溝部１１１と鴨居１２０の第１溝部１２１の位置と一致している。これにより、突き合わせ部分２１上に設けられた第３カバー部２４の位置と、敷居１１０の第１溝部１１１と鴨居１２０の第１溝部１２１の位置とが一致する。そのため、引戸枠１００の内側において周回りに、敷居１１０の第１溝部１１１と、第３カバー部２４と、鴨居１２０の第１溝部１２１とが連続するため、見栄えが良く、外観に優れる。
また、突き合わせ部分２１が第２縦枠１４０の見込面１４２における引戸１６０が接しない部分に形成されているため、引戸１６０を閉める際に第３カバー部２４が邪魔にならず、引戸１６０を第２縦枠１４０に接触させてしっかりと閉めることができる。
【００４３】
突き合わせ部分２１の幅の好ましい範囲は、突き合わせ部分１１の幅の好ましい範囲と同じである。
第３カバー部２４の幅は、見栄えが良く、外観が向上する点から、敷居１１０の第１溝部１１１と鴨居１２０の第１溝部１２１の幅と同等であることが好ましい。また、第３カバー部２４の下端部が敷居１１０の第１溝部１１１に嵌り込み、第３カバー部２４の上端部が鴨居１２０の第１溝部１２１に嵌り込んでいることがさらに好ましい。
【００４４】
第３カバー部２４における第２縦枠１４０の見込面１４２側に向けられる面には、第３カバー部１４と同様に、長さ方向に延びる凹条からなる複数の平行な筋２４ａが形成されている。なお、第３カバー部２４にはこのような筋が形成されていなくてもよい。
【００４５】
第２縦枠１４０における見付面１４４側の壁材１７８との散り部分１４８と、見付面１４６側の壁材１８０との散り部分１４９には、散りカバー部１６，１８と同様の散りカバー部２６，２８がそれぞれ取り付けられている。
【００４６】
散りカバー部２６，２８の態様は、散りカバー部１６，１８の態様と同じである。第２縦枠１４０の見付面１４４側の散り部分１４８に取り付けられた散りカバー部２６の嵌合部２７には、第１カバー部２０の第１平面部２０ａの側端部が嵌め込まれる。同様に、第２縦枠１４０の見付面１４６側の散り部分１４９に取り付けられた散りカバー部２８の嵌合部２９には、第２カバー部２２の第１平面部２２ａの側端部が嵌め込まれる。これにより、第１カバー部２０及び第２カバー部２２を第２縦枠１４０にしっかりと固定することができる。
また、散りカバー部２６，２８においては、嵌合部２７，２９の段差部分があるため、第２縦枠１４０に手を掛ける際に指を引っ掛けやすい。また、散りカバー部２６，２８の段差は、第２縦枠１４０の散り部分１４８，１４９側の縁に沿うように配置されるため、見栄えがよく、外観にも優れる。
【００４７】
第１縦枠用カバー材４及び第２縦枠用カバー材５を形成する材料としては、例えば、合成樹脂が挙げられ、硬質合成樹脂が好ましい。
硬質合成樹脂としては、例えば、アクリルニトリル−ブタジエン−スチレン共重合体（ＡＢＳ）アクリルニトリル−スチレン−アクリルゴム共重合体（ＡＳＡ）、ポリプロピレン、ポリスチレン、ポリエチレン、硬質塩化ビニル等が挙げられる。なかでも、硬質合成樹脂としては、成形加工性、難燃性の点から、硬質塩化ビニルが好ましい。硬質合成樹脂としては、１種を単独で使用してもよく、２種以上を組み合わせて使用してもよい。
【００４８】
第１縦枠用カバー材４及び第２縦枠用カバー材５は、必要に応じて、全体的に着色されていてもよく、着色された表面層を有してもよい。着色剤としては、特に限定されず、顔料等の公知の着色剤を採用できる。着色剤としては、１種を単独で使用してもよく、２種以上を組み合わせて使用してもよい。
また、第１縦枠用カバー材４及び第２縦枠用カバー材５には、必要に応じて、着色剤以外の添加剤が配合されていてもよい。添加剤としては、例えば、珪酸カルシウム、タルク、カオリン、クレー、シリカ、炭酸カルシウム、水酸化アルミニウム、水酸化マグネシウム、硫酸バリウム、硫酸カルシウム等の無機粉体；酸化防止剤；防かび剤等が挙げられる。添加剤としては、１種を単独で使用してもよく、２種以上を組み合わせて使用してもよい。
【００４９】
敷居用カバー材２は、敷居１１０に被せられるカバー材である。
敷居用カバー材２は、図４に示すように、第１カバー部３０と、第２カバー部３２と、第３カバー部３４と、第４カバー部３６と、第５カバー部３８と、を備えている。
第１カバー部３０及び第２カバー部３２は、それぞれ断面Ｌ字状の帯状のカバー材である。第３カバー部３４、第４カバー部３６及び第５カバー部３８は、平板状で帯状のカバー材である。
【００５０】
第１カバー部３０は、敷居１１０の見付面１１４と、見込面１１３における見付面１１４側の縁から第１溝部１１１の縁までを覆うように取り付けられている。第２カバー部３２は、敷居１１０の見付面１１５と、見込面１１３における見付面１１５側の縁から第２溝部１１２の縁までを覆うように取り付けられている。第３カバー部３４は、第１溝部１１１の底面を覆うように取り付けられている。第４カバー部３６は、第２溝部１１２の底面を覆うように取り付けられている。第５カバー部３８は、見込面における第１溝部１１１と第２溝部１１２の間を覆うように取り付けられている。
第１カバー部３０と第２カバー部３２は、例えば、前駆カバー材５０を敷居１１０の寸法に合わせて切断することで得ることができる。
【００５１】
第１カバー部３０における敷居１１０の見付面１１４を覆う部分と、見込面１１３を覆う部分のそれぞれの内面に、長さ方向に延びる凹条からなる複数の筋３０ａ，３０ｂが形成されている。同様に、第２カバー部３２における敷居１１０の見付面１１５を覆う部分と、見込面１１３を覆う部分のそれぞれの内面に、長さ方向に延びる凹条からなる複数の筋３２ａ，３２ｂが形成されている。これにより、敷居１１０に第１カバー部３０と第２カバー部３２を接着剤で取り付ける際に高い接着力を得ることができる。
なお、第１カバー部３０及び第２カバー部３２には、凹条からなる複数の筋３０ａ，３０ｂ，３２ａ，３２ｂが形成されていなくてもよい。
【００５２】
第３カバー部３４、第４カバー部３６及び第５カバー部３８は、それぞれ押出成形等で得られる。なお、第３カバー部３４、第４カバー部３６及び第５カバー部３８は、例えば、幅広で長尺の前駆カバー材を適宜長さ方向に沿って切断し、その幅が第１溝部１１１の幅、第２溝部１１２の幅、見込面１１３における第１溝部１１１と第２溝部１１２との間の幅と同等になるように調節することで得てもよい。
【００５３】
第１溝部１１１の底面に取り付けられた第３カバー部３４の上面には、長さ方向に延びる凹条からなる複数の筋３４ａが形成されている。同様に、第２溝部１１２の底面に取り付けられた第４カバー部３６の上面にも、長さ方向に延びる凹条からなる複数の筋３６ａが形成されている。このように第３カバー部３４及び第４カバー部３６の上面に凹条の筋が形成されていることで、第１溝部１１１と第２溝部１１２にそれぞれ嵌め込まれた引戸１５０，１６０が摺動する際の接触面積が小さくなり、抵抗が小さくなることで引戸１５０，１６０の開け閉めが容易になる。
また、見込面における第１溝部１１１と第２溝部１１２の間に取り付けられた第５カバー部３８の下面にも、長さ方向に延びる凹条からなる複数の筋３８ａが形成されている。これにより、第５カバー部３８を接着剤で敷居１１０に取り付ける際に優れた接着性が得られやすくなる。
なお、第３カバー部３４、第４カバー部３６及び第５カバー部３８には、凹条からなる複数の筋３４ａ，３６ａ，３８ａが形成されていなくてもよい。また、第３カバー部３４と第４カバー部３６とは、複数の筋３４ａ，３６ａが形成された側を下にして取り付けられてもよい。
【００５４】
敷居用カバー材２を形成する材料としては、例えば、第１縦枠用カバー材４及び第２縦枠用カバー材５を形成する材料として挙げたものと同じものが挙げられ、好ましい態様も同じである。
敷居用カバー材２は、必要に応じて、着色剤で全体的に着色されていてもよく、着色された表面層を有してもよい。また、敷居用カバー材２には、必要に応じて、着色剤以外の添加剤が配合されていてもよい。
【００５５】
鴨居用カバー材３は、鴨居１２０に被せられるカバー材である。
鴨居用カバー材３は、図５に示すように、第１カバー部４０と、第２カバー部４２と、散りカバー部４４，４６と、を備えている。第１カバー部４０及び第２カバー部４２は、それぞれ断面Ｌ字状の帯状のカバー材である。散りカバー部４４，４６の態様は、散りカバー部１６，１８の態様と同じであり、嵌合部４５，４７を有している。
【００５６】
第１カバー部４０は、鴨居１２０の見付面１２４と、見込面１２３における見付面１２４側の縁から第１溝部１２１の縁までを覆うように取り付けられている。第２カバー部４２は、鴨居１２０の見付面１２５と、見込面１２３における見付面１２５側の縁から第２溝部１２２の縁までを覆うように取り付けられている。
【００５７】
第１カバー部４０と第２カバー部４２は、第１縦枠用カバー材４の第１カバー部１０と第２カバー部１２を製造するための前駆カバー材５０と同様の前駆カバー材を、鴨居１２０の寸法に合わせて切断することで得ることができる。該前駆カバー材には、長さ方向に延びる凹条の筋が形成されていることが好ましい。これにより、該前駆カバー材を長さ方向に切断して幅を調節することが容易になる。
第１カバー部４０と第２カバー部４２は、例えば、前駆カバー材５０を鴨居１２０の寸法に合わせて切断することで得ることができる。
【００５８】
散りカバー部４４は、鴨居１２０における見付面１２４側の壁材１８４との散り部分１２６に取り付けられている。散りカバー部４４の嵌合部４５には、第１カバー部４０における鴨居１２０の見付面１２４を覆う部分の側端部が嵌め込まれている。同様に、散りカバー部４６は、鴨居１２０における見付面１２５側の壁材１８６との散り部分１２７に取り付けられている。散りカバー部４６の嵌合部４７には、第２カバー部４２における鴨居１２０の見付面１２５を覆う部分の側端部が嵌め込まれている。
【００５９】
鴨居１２０の散り部分１２６，１２７に散りカバー部４４，４６が取り付けられ、それらの嵌合部４５，４７に第１カバー部４０の側端部や第２カバー部４２の側端部が嵌め込まれることで、第１カバー部４０及び第２カバー部４２を鴨居１２０にしっかりと固定することができる。また、散りカバー部４４，４６においては、嵌合部４５，４７の段差部分があるため、ハンガー等を引っ掛ることも容易である。また、散りカバー部４４，４６の段差は、鴨居１２０の散り部分１２６，１２７側の縁に沿うように配置されるため、見栄えがよく、外観にも優れる。
【００６０】
鴨居用カバー材３を形成する材料としては、例えば、第１縦枠用カバー材４及び第２縦枠用カバー材５を形成する材料として挙げたものと同じものが挙げられ、好ましい態様も同じである。
鴨居用カバー材３は、必要に応じて、着色剤で全体的に着色されていてもよく、着色された表面層を有してもよい。また、鴨居用カバー材３には、必要に応じて、着色剤以外の添加剤が配合されていてもよい。
【００６１】
以上説明したように、本発明の第１実施形態のリフォーム用化粧材においては、縦枠の見込面上で、断面Ｌ字状で長尺の第１カバー部と第２カバー部とが突き合わされた部分が第３カバー部で覆われるため、該部分に形成された溝をシーリング材で埋めただけの態様等に比べて、外観に優れた引戸枠とすることができる。
また、本発明の第２実施形態のリフォーム用化粧材においては、縦枠や鴨居の散り部分に取り付けた散りカバー部の嵌合部に、縦枠や鴨居の見付面や見付面を覆うカバー部の側端部が嵌め込まれる。この態様では、散りカバー部の嵌合部の段差が散り部分に沿って形成されるため、見栄えが良く、外観に優れた引戸枠とすることができる。
【００６２】
なお、本発明のリフォーム用化粧材は、前記したリフォーム用化粧材１には限定されない。例えば、縦枠の見込面上で第１カバー部と第２カバー部とが突き合わされた部分が第３カバー部で覆われる態様であれば、縦枠用カバー材や鴨居用カバー材が散りカバー部を有しないものであってもよい。
また、縦枠用カバー材や鴨居用カバー材が散りカバー部を有する態様であれば、縦枠の見込面上で第１カバー部と第２カバー部とが突き合わされて形成された突き合わせ部分を第３カバー部で覆わないものであってもよい。
また、縦枠用カバー材と鴨居用カバー材のいずれか一方のみが散りカバー部を備えるものであってもよい。
【００６３】
本発明のリフォーム用化粧材は、第１カバー部と第２カバー部とが突き合わされた部分を第３カバー部で覆う縦枠用カバー材を備える場合は、敷居用カバー材及び鴨居用カバー材のいずれか一方又は両方を備えないものであってもよい。
本発明のリフォーム用化粧材は、縦枠用カバー材が散りカバー部を備える場合は、敷居用カバー材及び鴨居用カバー材のいずれか一方又は両方を備えないものであってもよい。
本発明のリフォーム用化粧材は、鴨居用カバー材が散りカバー部を備える場合は、敷居用カバー材及び縦枠用カバー材のいずれか一方又は両方を備えないものであってもよい。
【００６４】
本発明では、第１カバー部と第２カバー部の突き合わせ部分が、縦枠の見込面における、引戸枠に取り付けられた引戸が閉められた際に引戸が接する部分に形成されていることも好ましい。この場合、突き合わせ部分と第３カバー部の幅方向の位置が、敷居と鴨居の溝部の幅方向の位置と略一致する。そのため、敷居と鴨居の溝部と縦枠の第３カバー部とが連続し、見栄えが向上する。また、突き合わせ部分を覆うように取り付けた第３カバー部は、引戸を閉める際に隠れて見えなくなるため、引戸を閉めた際の縦枠の見込面の見栄えがさらに向上する。
【００６５】
具体的には、例えば、図９に例示した態様であってもよい。この態様では、第１縦枠１３０において、第１カバー部１０と第２カバー部１２の幅が調節され、第１縦枠１３０の見込面１３２における、引戸１５０が閉められた際に引戸１５０が接する部分に、第１カバー部１０Ａと第２カバー部１２Ａの突き合わせ部分１１と、突き合わせ部分１１を覆う第３カバー部１４が位置するようになっている。この態様では、突き合わせ部分１１上に設けられた第３カバー部１４の位置と、敷居１１０の第１溝部１１１と鴨居１２０の第２溝部１２２の位置とが一致する。そのため、引戸枠１００の内側において周回りに、敷居１１０の第１溝部１１１と、第３カバー部１４と、鴨居１２０の第１溝部１２１とが連続するため、見栄えが良く、外観に優れる。また、引戸１５０を閉めた際には第３カバー部１４が隠れるため、引戸１５０を閉めた際の見栄えがさらによくなる。
【００６６】
第２縦枠１４０においても同様に、第１カバー部２０と第２カバー部２２の幅が調節され、第２縦枠１４０の見込面１４２における、引戸１６０が閉められた際に引戸１６０が接する部分に、第１カバー部２０と第２カバー部２２の突き合わせ部分２１と、突き合わせ部分２１を覆う第３カバー部２４が位置する態様が挙げられる。この場合、引戸枠１００の内側において周回りに、敷居１１０の第２溝部１１２と、第３カバー部２４と、鴨居１２０の第２溝部１２２とが連続するため、見栄えが良く、外観に優れる。また、引戸１６０を閉めた際には第３カバー部２４が隠れるため、引戸１６０を閉めた際の見栄えがさらによくなる。
【符号の説明】
【００６７】
１  リフォーム用化粧材
２  敷居用カバー材
３  鴨居用カバー材
４  第１縦枠用カバー材
５  第２縦枠用カバー材
１０，２０  第１カバー部
１１，２１  突き合わせ部分
１２，２２  第２カバー部
１４，２４  第３カバー部
１６，１８，２６，２８  散りカバー部
１７，１９，２７，２９  嵌合部
１００  引戸枠
１１０  敷居
１１１  第１溝部
１１２  第２溝部
１２０  鴨居
１２１  第１溝部
１２２  第２溝部
１２３  見込面
１２４，１２５  見付面
１２６，１２７  散り部分
１３０  第１縦枠
１３２  見込面
１３４，１３６  見付面
１３８，１３９  散り部分
１４０  第２縦枠
１４２  見込面
１４４，１４６  見付面
１４８，１４９  散り部分
【図１】
2018091085.tif 000003
【図２】
2018091085.tif 000004
【図３】
2018091085.tif 000005
【図４】
2018091085.tif 000006
【図５】
2018091085.tif 000007
【図６】
2018091085.tif 000008
【図７】
2018091085.tif 000009
【図８】
2018091085.tif 000010
【図９】
2018091085.tif 000011